(57)【要約】【課題】バッファアンダーランエラーが生じないよう、バッファメモリが一定以下になったときに書き込みを中断し、その後に中断した位置から書き込みを再開する光ディスクドライブ装置において、再生モードから書き込みモードへの移行時に、高速にレーザーパワーを切り換える。【解決手段】書き込みモードでは、光検出回路２の出力に比例した信号と第一の基準電圧ＶＲ１との誤差電圧を第一の比較器９が電流アンプ１０に供給することによりレーザーの発光パワーを安定化させる。再生モードでは、書き込みモードとの間で第一の比較器９の出力が変化しないように、第一の比較器９の反転側入力に第二の比較器１５の出力を入力し、第二の比較器１５の非反転側入力に第一の比較器９の出力を入力し、第二の比較器１５の反転側入力には、書き込みモードにおける第一の比較器９の出力にほぼ等しい第二の基準電圧ＶＲ２を入力する。【選択図】　　　　図７
2004145962.tif 000002
【特許請求の範囲】
【請求項１】
レーザーを発光させるためのレーザー駆動手段と、レーザーの発光パワーを検出するための光検出手段と、レーザーの発光パワーを安定化させるように前記レーザー駆動手段を制御するためのレーザー制御手段とを備え、
前記レーザー制御手段は、
前記レーザー駆動手段に誤差電圧を供給するための比較器を有する積分器と、
第一のモードにおいて、前記光検出手段の出力に比例した信号と第一の基準電圧との誤差電圧を前記レーザー駆動手段に供給することによりレーザーの発光パワーを安定化させるように、前記光検出手段の出力に比例した信号を前記比較器の反転側入力に入力し、前記比較器の非反転側入力には前記第一の基準電圧を入力するための手段と、
第二のモードにおいて、前記第一のモードとの間で前記比較器の出力が変化しないように、前記比較器の反転側入力に前記比較器の出力を入力し、前記比較器の非反転側入力には、前記第一のモードにおける前記比較器の出力にほぼ等しい第二の基準電圧を入力するための手段と、
前記第一のモードと前記第二のモードとの切り換え時に所定の時間だけ前記積分器の時定数を切り換えるための手段とを備えたことを特徴とするレーザー制御回路。
【請求項２】
レーザーを発光させるためのレーザー駆動手段と、レーザーの発光パワーを検出するための光検出手段と、レーザーの発光パワーを安定化させるように前記レーザー駆動手段を制御するためのレーザー制御手段とを備え、
前記レーザー制御手段は、
前記レーザー駆動手段に誤差電圧を供給するための比較器を有する第一の積分器と、
第一のモードにおいて、前記光検出手段の出力に比例した信号と第一の基準電圧との誤差電圧を前記レーザー駆動手段に供給することによりレーザーの発光パワーを安定化させるように、前記光検出手段の出力に比例した信号を前記比較器の反転側入力に入力し、前記比較器の非反転側入力には前記第一の基準電圧を入力するための手段と、
第二のモードにおいて、前記比較器の反転側入力に前記比較器の出力を入力し、前記比較器の非反転側入力には、前記第一のモードにおける前記比較器の出力にほぼ等しい第二の基準電圧を入力するための手段と、
前記第一の基準電圧と前記第二の基準電圧とを切り換えるためのスイッチ回路と、
前記スイッチ回路の出力と前記比較器の非反転側入力との間に設けられた、前記第一の積分器の時定数とほぼ同じ時定数を持つ第二の積分器とを備えたことを特徴とするレーザー制御回路。
【請求項３】
レーザーを発光させるためのレーザー駆動手段と、レーザーの発光パワーを検出するための光検出手段と、レーザーの発光パワーを安定化させるように前記レーザー駆動手段を制御するためのレーザー制御手段とを備え、
前記レーザー制御手段は、
前記レーザー駆動手段に誤差電圧を供給するための第一の比較器と、
第一のモードにおいて、前記光検出手段の出力に比例した信号と第一の基準電圧との誤差電圧を前記レーザー駆動手段に供給することによりレーザーの発光パワーを安定化させるように、前記光検出手段の出力に比例した信号を前記第一の比較器の反転側入力に入力し、前記第一の比較器の非反転側入力には前記第一の基準電圧を入力するための手段と、
第二の比較器と、
第二のモードにおいて、前記第一のモードとの間で前記第一の比較器の出力が変化しないように、前記第一の比較器の反転側入力に前記第二の比較器の出力を入力し、前記第二の比較器の非反転側入力に前記第一の比較器の出力を入力し、前記第二の比較器の反転側入力には、前記第一のモードにおける前記第一の比較器の出力にほぼ等しい第二の基準電圧を入力するための手段とを備えたことを特徴とするレーザー制御回路。
【請求項４】
請求項３記載のレーザー制御回路において、
前記光検出手段にて検出された発光パワーの一部を抽出するためのサンプルホールド回路と、
前記第二のモードから前記第一のモードへの切り換えの際に、前記サンプルホールド回路におけるサンプル終了後に前記第一の比較器の反転側入力を、前記第二の比較器の出力から前記光検出手段の出力に比例した信号に切り換えるように制御するための手段とを更に備えたことを特徴とするレーザー制御回路。
【請求項５】
請求項３記載のレーザー制御回路において、
前記第一のモードと前記第二のモードとの切り換え時に前記第一の比較器の反転側入力に過渡応答を発生しないように、前記第二のモードにおける前記第二の比較器の出力を記憶し、かつ該記憶した電圧を前記第一のモードにおける出力とするメモリ回路を更に備えたことを特徴とするレーザー制御回路。
【請求項６】
請求項３記載のレーザー制御回路において、
前記光検出手段にて検出された発光パワーの一部を抽出するためのサンプルホールド回路と、
前記第二のモード時に前記サンプルホールド回路の出力を前記第二の比較器の出力に固定するための手段とを備えたことを特徴とするレーザー制御回路。
【請求項７】
請求項３記載のレーザー制御回路において、
前記第二のモードにおける光ディスク再生時のレーザーパワーを設定するための再生系レーザー制御部と、
前記第一のモードにおける光ディスク書き込み時のレーザーパワーを設定するように前記レーザー制御手段を有する記録系レーザー制御部と、
前記光ディスク書き込み時に尖頭パルスを加えるためのレーザーパワーを第三の基準電圧により設定するための尖頭パワー設定部と、
前記第一の基準電圧を供給するための第一のＤＡ変換器と、
前記第二の基準電圧の供給と、前記第三の基準電圧の供給とに共用される第二のＤＡ変換器とを更に備えたことを特徴とするレーザー制御回路。
【請求項８】
請求項３記載のレーザー制御回路において、
前記第二のモードにおける光ディスク再生時の第一のレーザーのパワーを設定するための再生系レーザー制御部と、
前記第一のモードにおける光ディスク書き込み時の前記第一のレーザーのパワーを設定するように前記レーザー制御手段を有する記録系レーザー制御部と、
前記光ディスク書き込み時に尖頭パルスを加えるための前記第一のレーザーのパワーを第三の基準電圧により設定するための尖頭パワー設定部と、
第二のレーザーを発光させるためのレーザー駆動回路と、
前記第二のレーザーの発光パワーを検出するための光検出回路と、
前記第二のレーザーの発光パワーを安定化させるように、前記光検出回路の出力に比例した信号と第四の基準電圧との誤差信号を前記レーザー駆動回路に供給するための第三の比較器と、
前記第一の基準電圧を供給するための第一のＤＡ変換器と、
前記第二の基準電圧の供給と、前記第三の基準電圧の供給と、前記第四の基準電圧の供給とに共用される第二のＤＡ変換器とを更に備えたことを特徴とするレーザー制御回路。
【発明の詳細な説明】
【０００１】
【発明の属する技術分野】
本発明は、光ディスクドライブ装置に用いられるレーザー制御回路に関するものである。
【０００２】
【従来の技術】
記録可能な光ディスクドライブ装置では、データの書き込み中にバッファメモリが枯渇すると、バッファアンダーランエラー（ＢＵＥ）と呼ばれるエラーを生じ、光ディスクを読み出し不可能にしてしまう。近年、ＢＵＥを防ぐ技術が施され、バッファメモリが少なくなったとき、位置情報を記憶するとともに記憶した場所で書き込みを一旦中断し、バッファメモリが増加した後、位置情報を読み出し、書き込みを中断した場所から書き込みを再開させる技術が普及している。この場合、書き込みを中断した場所の読み出しは再生のレーザーパワーで行い、書き込み時は、当然ながら書き込みのレーザーパワーで書き込みを行う必要があり、読み出しから書き込みへの応答は、高速性が必要である。
【０００３】
ある従来技術によれば、レーザー駆動手段にレベル切り換え手段を備え、レーザーパワーモードに対応したレベル切り換えを行うことにより、再生パワーと消去パワーとを高速に切り換える（特許文献１参照）。
【０００４】
【特許文献１】
特開２００１−６７７０７号公報
【０００５】
【発明が解決しようとする課題】
上記特許文献１の方式は、書き換え可能メディア（例えばＣＤ−Ｒｅｗｒｉｔａｂｌｅ：ＣＤ−ＲＷ）のように、再生パワーと消去パワーとを切り換える場合には有効であるが、追記型メディア（ＣＤ−Ｒｅｃｏｒｄａｂｌｅ：ＣＤ−Ｒ）のように、書き込みパワー（ライトパワー）をオン・オフさせる場合には用いることができない。
【０００６】
本発明の目的は、光ディスクドライブ装置における再生モードから書き込みモードへの移行時のレーザーパワーの高速切り換えを可能にすることにある。
【０００７】
【課題を解決するための手段】
上記目的を達成するため、本発明に係る第一のレーザー制御回路は、レーザー駆動手段に誤差電圧を供給するための比較器を有する積分器と、第一のモード（書き込みモード）において光検出手段の出力に比例した信号と第一の基準電圧との誤差電圧をレーザー駆動手段に供給することによりレーザーの発光パワーを安定化させるように、光検出手段の出力に比例した信号を比較器の反転側入力に入力し、かつ比較器の非反転側入力には第一の基準電圧を入力するための手段と、第二のモード（再生モード）において第一のモードとの間で比較器の出力が変化しないように、比較器の反転側入力に比較器の出力を入力し、かつ比較器の非反転側入力には、第一のモードにおける比較器の出力にほぼ等しい第二の基準電圧を入力するための手段と、第一のモードと第二のモードとの切り換え時に所定の時間だけ積分器の時定数を切り換えるための手段とを備えた構成を採用したものである。
【０００８】
また、本発明に係る第二のレーザー制御回路は、レーザー駆動手段に誤差電圧を供給するための比較器を有する第一の積分器と、第一のモード（書き込みモード）において光検出手段の出力に比例した信号と第一の基準電圧との誤差電圧をレーザー駆動手段に供給することによりレーザーの発光パワーを安定化させるように、光検出手段の出力に比例した信号を比較器の反転側入力に入力し、かつ比較器の非反転側入力には第一の基準電圧を入力するための手段と、第二のモード（再生モード）において比較器の反転側入力に比較器の出力を入力し、かつ比較器の非反転側入力には、第一のモードにおける比較器の出力にほぼ等しい第二の基準電圧を入力するための手段と、第一の基準電圧と第二の基準電圧とを切り換えるためのスイッチ回路と、該スイッチ回路の出力と比較器の非反転側入力との間に設けられた、第一の積分器の時定数とほぼ同じ時定数を持つ第二の積分器とを備えた構成を採用したものである。
【０００９】
また、本発明に係る第三のレーザー制御回路は、レーザー駆動手段に誤差電圧を供給するための第一の比較器と、第一のモード（書き込みモード）において光検出手段の出力に比例した信号と第一の基準電圧との誤差電圧をレーザー駆動手段に供給することによりレーザーの発光パワーを安定化させるように、光検出手段の出力に比例した信号を第一の比較器の反転側入力に入力し、かつ第一の比較器の非反転側入力には第一の基準電圧を入力するための手段と、第二の比較器と、第二のモード（再生モード）において第一のモードとの間で第一の比較器の出力が変化しないように、第一の比較器の反転側入力に第二の比較器の出力を入力し、第二の比較器の非反転側入力に第一の比較器の出力を入力し、かつ第二の比較器の反転側入力には、第一のモードにおける第一の比較器の出力にほぼ等しい第二の基準電圧を入力するための手段とを備えた構成を採用したものである。
【００１０】
【発明の実施の形態】
以下、図面を参照しながら本発明の実施形態を説明する。
【００１１】
〈第一の実施形態〉
図１に基づいて、第一の実施形態を説明する。図１において、１はレーザーダイオード（ＬＤ）、２は光検出回路、１３は加算器、３０は再生系レーザー制御部、３１は記録系レーザー制御部、３２はレーザー駆動部である。記録系レーザー制御部３１は、アンプ（ＡＭＰ）３と、サンプルホールド回路（Ｓ／Ｈ）４と、スイッチ回路（ＳＷ１）５と、第一の基準電圧ＶＲ１を発生するための回路６と、第二の基準電圧ＶＲ２を発生するための回路７と、スイッチ回路（ＳＷ３）８と、積分器４０と、単安定マルチバイブレータ（ＭＭ）４１とで構成されている。このうち積分器４０は、比較器９と、抵抗Ｒ１と、キャパシタＣ１，Ｃｘと、スイッチ回路（ＳＷ４）１４とで構成されている。一方、レーザー駆動部３２は、第一の電流アンプ１０と、第二の電流アンプ１１と、スイッチ回路（ＳＷ２）１２とで構成されている。ＬＤＣＯＮＴはレーザー駆動部３２中のスイッチ回路１２に与えられる制御信号、ＷＴＧＴは記録系レーザー制御部３１中のスイッチ回路５，８及び単安定マルチバイブレータ４１に与えられる制御信号、ＳＨＰはサンプルホールドパルス、Ｖａは光検出回路出力、Ｖｂはサンプルホールド出力、Ｖｃはスイッチ回路（ＳＷ１）出力、Ｖｄは比較器非反転側（＋）入力、Ｖｅは比較器反転側（−）入力、ＶｍはＭＭ出力、Ｖｏは比較器出力である。
【００１２】
まず、図２に基づいて、追記型メディア（ＣＤ−Ｒ）に記録再生する際のレーザーパワーの一例について説明する。メディアの記録（ＷＲＩＴＥ）／再生（ＲＥＡＤ）に応じた二値波形を持つ制御信号ＷＴＧＴが図１のレーザー制御回路に与えられる（図２（ａ））。書き込み時には、記録データ（図２（ｂ））に基づいて制御信号ＬＤＣＯＮＴが入力され（図２（ｃ））、書き込み時のピット部では書き込みパワー（ライトパワー）と呼ばれる大きなパワーＰｗでレーザーダイオード１が発光させられ、ピット以外の部分はバイアスパワーと呼ばれる小さなパワーＰｂで発光させられ（図２（ｄ））、書き込みパワーＰｗでレーザー照射された部分がピットとして、メディアに書き込まれる。再生時には、ピットでない部分と同様の小さなパワーＰｂでレーザー照射され、メディアからの反射光をデータとして再生する。
【００１３】
図１中の再生系レーザー制御部３０は、再生時のパワーでもあるバイアスパワーＰｂを所定の値となるように決める。一方、記録系レーザー制御部３１にて書き込み時に必要なパワーＰｘを設定し、加算器１３にて書き込みパワーＰｗを得る。すなわち、Ｐｗ＝Ｐｂ＋Ｐｘが書き込みパワー（ライトパワー）Ｐｗとなる。光検出回路２は、レーザーダイオード１の前方あるいは後方に得られる光を検出することによって、レーザーの発光パワーに比例する信号Ｖａを得る。
【００１４】
レーザーダイオード１の入出力特性は、図３に示すように大きな温度依存性を有しており、所定の書き込みパワーＰｗに対し、Ｔ＝２５℃では比較器９の出力はＶｏ１が必要とされ、Ｔ＝７０℃ではＶｏ２が必要とされる。したがって、書き込みパワー制御時の比較器９の出力Ｖｏは、レーザーダイオード１の温度特性に加え当該レーザーダイオード１の個体バラツキをも吸収するよう、幅広い範囲で制御される必要がある。
【００１５】
次に、図１のレーザー制御回路によるメディア書き込み時について説明する。レーザーの発光パワーを検出する光検出回路２の出力信号Ｖａをアンプ３にて増幅し、サンプルホールド回路４にて書き込みパワーＰｗ部分を抽出したサンプルホールド出力Ｖｂを得る。比較器９、抵抗Ｒ１及びキャパシタＣ１は、積分器４０を構成しており、サンプルホールド出力Ｖｂと第一の基準電圧ＶＲ１との誤差電圧Ｖｏをレーザー駆動部３２に供給し、再生系レーザー制御部３０で決められたバイアスパワーＰｂと加算し、書き込みパワーＰｗを得る。すなわち、レーザー駆動部３２、レーザーダイオード１、光検出回路２及び比較器９によりフィードバックループを構成することにより、書き込みパワーＰｗを安定化させる。積分器４０は、一般的にはキャパシタＣ１と並列に抵抗が付加されることが多いが、この並列抵抗は本質的な内容を含まないため、実施形態の説明では考慮しないこととする。
【００１６】
次に、図１のレーザー制御回路によるメディア再生時について説明する。スイッチ回路５をＢ側に接続することにより、比較器９の出力信号Ｖｏが該比較器９の反転側入力に入力され、比較器９はボルテージフォロワと同様な動作をする。比較器９の非反転側入力には、第二の基準電圧ＶＲ２が入力され、該比較器９の出力Ｖｏは、
Ｖｏ＝ＶＲ２　　　（式１）
となる。
【００１７】
ここで、ＶＲ２の設定について説明する。書き込み時の比較器９の出力電圧をＶｏｗとし、
ＶＲ２＝Ｖｏｗ　　（式２）
となるようＶＲ２を設定すれば、比較器９の出力Ｖｏの収束電圧は、書き込み時と再生時とで等しい電圧になる。本実施形態では、比較器９にボルテージフォロワと同様の動作をさせるため、（式２）を精度良く実現できる。
【００１８】
次に、書き込みモードと再生モードとの切り換え応答について説明する。比較器９の反転側の積分器入力をＶｃ、非反転側入力をＶｄとすると、伝達関数は、
Ｖｏ＝Ｖｄ＋（Ｖｄ−Ｖｃ）／｛１＋ｓ・（Ｃ１＋Ｃｘ）・Ｒ１｝（式３）
である。ここに、虚数単位をｊ、角周波数をωとすると、ｓ＝ｊωである。したがって、例えば、再生モードから書き込みモードへ切り換えた瞬間のＶｏは、
ΔＶｏ＝（ＶＲ１−ＶＲ２）　　（式４）
の電圧変化を生じ、図４（ｈ）のように、所定の出力電圧Ｖｏｗへ収束する。すなわち、
Ｖｏｗ＝ＶＲ１＝ＶＲ２　　（式５）
であれば、比較器９の出力Ｖｏに過渡応答は生じないが、前述のように、書き込み時の比較器９の出力Ｖｏｗは、レーザーダイオード１の温度特性等により種々の値を取るため、一般的には、
Ｖｏｗ≠ＶＲ１　　　　　　（式６）
であり、書き込みモードと再生モードとの切り換え時に、比較器９の出力Ｖｏやレーザー出力（発光パワー）は図４（ｈ）及び図４（ｉ）の実線に示す過渡応答となる。したがって、メディアへの記録品質の劣化や過電流によるレーザーダイオード１の劣化を引き起こす可能性があるため、本実施形態では積分器４０の時定数を切り換えるスイッチ回路１４を設け、書き込みモードと再生モードとの切り換え後の所定時間だけスイッチ回路１４を開くことにより積分器４０の時定数を小さくすることで、図４（ｈ）及び図４（ｉ）の点線で示すように、過渡応答の時間を小さくすることができ、書き込みモードと再生モードとの切り換え時のレーザーの応答を高速にすることができる。
【００１９】
なお、書き込みパワーのオフが制御信号ＬＤＣＯＮＴによりレーザー駆動部３２のスイッチ回路１２で高速に制御される場合は、図４（ｂ）の実線に示すように、再生モードから書き込みモードへの切り換え時のみ、積分器４０の時定数を変えればよい。
【００２０】
〈第二の実施形態〉
次に、図５に基づいて、第二の実施形態を説明する。第二の実施形態では、第一の基準電圧ＶＲ１と第二の基準電圧ＶＲ２とを切り換えるスイッチ回路８の出力に第二の積分器４２を付加し、この積分器４２の出力を比較器９の非反転入力Ｖｄとする。Ｖｆはスイッチ回路（ＳＷ３）出力、Ｒ２は抵抗、Ｃ２はキャパシタである。
【００２１】
図５のレーザー制御回路の基本的な動作は第一の実施形態と同様であるが、伝達関数は、
Ｖｏ＝｛（１＋ｓ・Ｃ１・Ｒ１）／（１＋ｓ・Ｃ２・Ｒ２）・Ｖｄ−Ｖｃ｝／（ｓ・Ｃ１・Ｒ１）　　　　　　　（式７）
のようになる。ここで、第二の積分器４２の時定数（Ｃ２・Ｒ２）を、抵抗Ｒ１とキャパシタＣ１とで構成される第一の積分器４０の時定数（Ｃ１・Ｒ１）と同じにすることにより、
Ｖｏ＝（Ｖｄ−Ｖｃ）／（ｓ・Ｃ１・Ｒ１）　　　（式８）
となり、図６（ｆ）及び図６（ｇ）に示すように、比較器９の非反転入力Ｖｄと比較器９の反転入力Ｖｅとは同じ過渡特性となり、比較器９の出力Ｖｏには過渡応答が出なくなる（図６（ｈ））。すなわち、再生モードと書き込みモードとの間の移行時にレーザーの発光パワーに過渡応答がない（図６（ｉ））ので、高速にレーザーパワーを切り換えることが可能である。
【００２２】
〈第三の実施形態〉
次に、図７に基づいて第三の実施形態を説明する。第三の実施形態では、積分器４０を構成する（第一の）比較器９に加えて、第二の比較器１５を設ける。そして、第二の比較器１５の非反転側に第一の比較器９の出力Ｖｏを入力し、第二の比較器１５の反転側に第二の基準電圧ＶＲ２を入力し、第二の比較器１５の出力Ｖｇを第一の比較器９の反転側に入力できるようスイッチ回路５を設ける。
【００２３】
書き込み時の動作は第一及び第二の実施形態と同様である。再生時は、第二の比較器１５の出力Ｖｇを第一の比較器９の反転側に入力し、第一の比較器９と第二の比較器１５とで、ボルテージフォロワと同様な動作をさせる。したがって、再生時の第一の比較器９の出力電圧をＶｏｒとすると、
Ｖｏｒ≒ＶＲ２　　　（式９）
となる。書き込み時の第一の比較器９の出力電圧をＶｏｗとし、
ＶＲ２＝Ｖｏｗ　　　（式１０）
となるようにＶＲ２を設定すれば、
Ｖｏｒ≒Ｖｏｗ　　　（式１１）
となり、第一の比較器９は、書き込み時と再生時とで全く同じ電圧で動作するため、書き込みモードと再生モードとの切り換えが高速に行われる。ちなみに、第一の比較器９の反転側入力Ｖｃに関し、書き込み時の値をＶｃｗ、再生時の値をＶｃｒとすると、
Ｖｃｒ≒Ｖｃｗ　　　（式１２）
であることは明らかである。
【００２４】
さて、サンプルホールド回路４はスイッチ回路とキャパシタとで構成され、再生モード時はホールド状態となっている。バッファアンダーランエラー（ＢＵＥ）を回避している間は光ディスクドライブ装置が再生モードにあり、バッファメモリにある一定以上の空きメモリができるまで再生モードが保持される。このバッファメモリに空きができるまでの時間は、当該光ディスクドライブ装置に接続されるホストコンピュータのパフォーマンスやアプリケーションソフトの動作状況によって、長時間になる場合がある。この場合、サンプルホールド回路４がホールド状態にあったとしてもリーク電流等によりサンプルホールド出力Ｖｂにドループが生じる。しかも、再生モードが長時間になれば、リ−ク電流等の影響は大きくなる。図８（ｄ）の点線は、サンプルホールド出力Ｖｂが放電している様子を表しており、この状態で再生モードから書き込みモードに移行すると、スイッチ回路（ＳＷ１）出力Ｖｃは、サンプルホールド回路４の放電した電圧が供給され（図８（ｅ）の点線部分）、図８（ｇ）の点線に示すように、第一の比較器９の出力Ｖｏに過渡応答が発生する。この問題を解消するためには、第一の比較器９の反転入力側に設けられたスイッチ回路５を制御する信号ＷＴＧＴを一定の時間だけ遅らせるよう構成すればよい。つまり、図８（ｂ）に示すように、サンプルホールド出力Ｖｂが安定した後に制御信号ＷＴＧＴを切り換えるようにすれば、上記のように再生モード時にサンプルホールド回路４が充電あるいは放電した場合でも、書き込みモードと再生モードとの切り換え時に過渡応答は発生しない。
【００２５】
〈第四の実施形態〉
次に、図９に基づいて第四の実施形態を説明する。第四の実施形態では、第二の比較器１５の出力とスイッチ回路５との間にメモリ回路１６を介在させる。Ｖｈは、このメモリ回路１６の出力である。
【００２６】
第三の実施形態の書き込み時、第二の比較器１５は、開ループ（オープンループ）となっているため、
ＶＲ２＜Ｖｏｗ　　　（式１３）
の場合は、出力Ｖｇは“Ｈｉｇｈ”になっており、
ＶＲ２＞Ｖｏｗ　　　（式１４）
の場合は、逆に出力Ｖｇは“Ｌｏｗ”となってしまう。この場合、書き込みモードから再生モードへ切り換えた瞬間、“Ｈｉｇｈ”又は“Ｌｏｗ”の電圧が第一の比較器９の反転側Ｖｃに入力される。つまり、図１０（ｆ）及び図１０（ｇ）にそれぞれ点線で示すように、スイッチ回路（ＳＷ１）出力Ｖｃと第一の比較器出力Ｖｏとが瞬時乱されてしまう。そこで、第二の比較器１５の出力にメモリ回路１６を付加し、図１０（ｄ）及び図１０（ｅ）に示すように、再生時の第二の比較器出力Ｖｇをメモリ回路１６に記憶させ、書き込みモード時と次の再生時の当初は記憶した電圧Ｖｇをメモリ回路１６の出力Ｖｈとすることで、第一の比較器出力Ｖｏを完全に安定させることができる。なお、メモリ回路１６は、ＡＤ変換器とＤＡ変換器とで構成したり、サンプルホールド回路等により、簡単に実現できる。
【００２７】
〈第五の実施形態〉
次に、図１１に基づいて第五の実施形態を説明する。第五の実施形態では、サンプルホールド回路４の出力Ｖｂと第二の比較器１５の出力Ｖｇとの間にスイッチ回路（ＳＷ５）１７を介在させる。サンプルホールド回路４は、スイッチ回路とキャパシタＣ４とで構成されている。
【００２８】
第三の実施形態で説明したように、サンプルホールド回路４のキャパシタＣ４がリーク電流等により充電又は放電すると、書き込みと再生との切り換え時に過渡応答が発生する。そこで、本実施形態では、再生モード時に、キャパシタＣ４の保持電圧を第二の比較器１５の出力電圧Ｖｇにするよう、スイッチ回路１７を付加する。この構成により、再生モード時のサンプルホールド出力Ｖｂは、図１２（ｄ）の実線に示すように所定の電圧Ｖｇにされる。したがって、再生モード時にサンプルホールド回路４にリーク電流等がある場合でも、再生モードと書き込みモードとの切り換え時に過渡応答は発生しない。
【００２９】
〈第六の実施形態〉
次に、図１３に基づいて第六の実施形態を説明する。本実施形態では、書き込み時に尖頭パルスを加えるためのレーザーパワーを第三の基準電圧ＶＲ３により設定するための尖頭パワー（ＥＸＴＲＡパワー）設定部３３を付加する。記録系レーザー制御部３１では、設定データＤＡＴＡ１を第一の基準電圧ＶＲ１に変換するための第一のＤＡ変換器（ＤＡＣ１）を第一の基準電圧発生回路６として採用する。ＥＸＴＲＡパワー設定部３３は、設定データとしてＤＡＴＡ２又はＤＡＴＡ３を制御信号ＷＴＧＴに応じて選択するためのスイッチ回路（ＳＷ６）２０と、このスイッチ回路２０の出力を第二の基準電圧ＶＲ２又は第三の基準電圧ＶＲ３に変換するための第二のＤＡ変換器（ＤＡＣ２）７とで構成される。一方、レーザー駆動部３２に第三の電流アンプ１８とスイッチ回路（ＳＷ７）１９とが付加される。ＬＤＣＯＮＴ１はレーザー駆動部３２中のスイッチ回路（ＳＷ２）１２に与えられる制御信号、ＬＤＣＯＮＴ２はスイッチ回路（ＳＷ７）１９に与えられる制御信号である。
【００３０】
追記型メディアのレーザーパワーの一例を図２に示したが、図１４（ｅ）のように、ピットの先端部のみ書き込みパワー（ライトパワー）Ｐｗより大きな尖頭パワー（ＥＸＴＲＡパワー）Ｐｅを用いて書き込む方式がある。この場合、図１３に示すように、再生系レーザー制御部３０と記録系レーザー制御部３１とに加え、ＥＸＴＲＡパワーを設定するための第三の基準電圧ＶＲ３と、第三の電流アンプ１８及びスイッチ回路１９とが必要となる。第一の比較器９の非反転側入力には第一の基準電圧ＶＲ１が入力され、これは第一のＤＡ変換器６で生成される。第二の比較器１５の反転側入力には第二の基準電圧ＶＲ２が入力され、これは第二のＤＡ変換器７で生成される。ＥＸＴＲＡパワーＰｅを設定する第三の基準電圧ＶＲ３は、第二の基準電圧ＶＲ２と同じく第二のＤＡ変換器７で生成されるようにする。ここで、第二の比較器１５は再生モードでのみ使用され、ＥＸＴＲＡパワーＰｅは書き込みモード時のみに使用されるため、第二のＤＡ変換器７の設定データＤＡＴＡ２，ＤＡＴＡ３を書き込み時と再生時とで切り換えるスイッチ回路２０を設ければよい。本実施形態では、図１４のような書き込み方式でもレーザー制御回路を安価に構成することができる。
【００３１】
〈第七の実施形態〉
最後に、図１５に基づいて第七の実施形態を説明する。本実施形態では、ＣＤの記録再生に加えてＤＶＤの再生ができるように、ＣＤ用の第一のレーザーを発光する（第一の）レーザーダイオード（ＬＤ１）１に加えて、ＤＶＤ用の第二のレーザーを発光する（第二の）レーザーダイオード（ＬＤ２）２３が設けられる。更に、第二のレーザーダイオード２３に対応して、第二のレーザーを発光させるための第四の電流アンプ２２と、第二のレーザーの発光パワーを検出するための第二の光検出回路２４と、第二のレーザーの発光パワーを安定化させるように第二の光検出回路２４の出力に比例した信号と第四の基準電圧ＶＲ４との誤差信号を第四の電流アンプ２２に供給するための第三の比較器２１とが設けられる。ＥＸＴＲＡパワー設定部３３は、設定データとしてＤＡＴＡ２、ＤＡＴＡ３又はＤＡＴＡ４を制御信号ＷＴＧＴ／ＣＤ／ＤＶＤに応じて選択するためのスイッチ回路（ＳＷ６）２０と、このスイッチ回路２０の出力を第二の基準電圧ＶＲ２、第三の基準電圧ＶＲ３又は第四の基準電圧ＶＲ４に変換するための第二のＤＡ変換器７とで構成される。
【００３２】
近年、ＣＤの記録再生とＤＶＤの再生ができる光ディスクドライブ装置（コンビネーションドライブ装置と呼ばれる）が普及している。ＣＤの記録再生には波長が７８０ｎｍの赤外レーザーが用いられ、ＤＶＤの再生では波長が６５０ｎｍの赤色レーザーが用いられるため、コンビネーションドライブ装置では、２つのレーザーを制御することが必要である。本実施形態は、このような複数のレーザーの制御を安価に提供するものである。
【００３３】
図１５において、再生系レーザー制御部３０と、記録系レーザー制御部３１と、レーザー駆動部３２と、ＥＸＴＲＡパワー設定部３３とは、ＣＤの記録再生に用いられる。第四の電流アンプ２２と、第二の光検出回路２４と、第三の比較器２１とは、ＤＶＤ用の第二のレーザー制御を行う。ただし、ＥＸＴＲＡパワー設定部３３中の第二のＤＡ変換器７は、ＣＤモード時はＤＡＴＡ２又はＤＡＴＡ３により基準電圧ＶＲ２又はＶＲ３を生成し、ＤＶＤモード時はＤＡＴＡ４によって第四の基準電圧ＶＲ４を生成する。本実施形態により、ＣＤの記録再生とＤＶＤ再生との両方式に対応したレーザー制御回路を安価に構成できる。
【００３４】
【発明の効果】
以上説明してきたとおり、本発明によれば、光ディスクドライブ装置における再生モードから書き込みモードへの移行時のレーザーパワーの高速切り換えが可能になる。
【図面の簡単な説明】
【図１】本発明の第一の実施形態に係るレーザー制御回路の構成を示すブロック図である。
【図２】（ａ）〜（ｄ）は図１のレーザー制御回路による追記型メディアの記録時のタイミング図である。
【図３】図１中のレーザーダイオードの入出力特性の温度依存性を表す図である。
【図４】（ａ）〜（ｉ）は図１のレーザー制御回路の動作を説明するためのタイミング図である。
【図５】本発明の第二の実施形態に係るレーザー制御回路の構成を示すブロック図である。
【図６】（ａ）〜（ｉ）は図５のレーザー制御回路の動作を説明するためのタイミング図である。
【図７】本発明の第三の実施形態に係るレーザー制御回路の構成を示すブロック図である。
【図８】（ａ）〜（ｈ）は図７のレーザー制御回路の動作を説明するためのタイミング図である。
【図９】本発明の第四の実施形態に係るレーザー制御回路の構成を示すブロック図である。
【図１０】（ａ）〜（ｈ）は図９のレーザー制御回路の動作を説明するためのタイミング図である。
【図１１】本発明の第五の実施形態に係るレーザー制御回路の構成を示すブロック図である。
【図１２】（ａ）〜（ｈ）は図１１のレーザー制御回路の動作を説明するためのタイミング図である。
【図１３】本発明の第六の実施形態に係るレーザー制御回路の構成を示すブロック図である。
【図１４】（ａ）〜（ｅ）は図１３のレーザー制御回路による追記型メディアの記録時のタイミング図である。
【図１５】本発明の第七の実施形態に係るレーザー制御回路の構成を示すブロック図である。
【符号の説明】
１，２３　レーザーダイオード
２，２４　光検出回路
３　アンプ
４　サンプルホールド回路
５，８，１２，１４，１７，１９，２０　スイッチ回路
６，７　基準電圧発生回路（ＤＡＣ）
９，１５，２１　比較器
１０，１１，１８，２２　電流アンプ
１３　加算器
１６　メモリ回路
３０　再生系レーザー制御部
３１　記録系レーザー制御部
３２　レーザー駆動部
３３　ＥＸＴＲＡパワー設定部
４０，４２　積分器
４１　単安定マルチバイブレータ
【図１】
2004145962.tif 000003
【図２】
2004145962.tif 000004
【図３】
2004145962.tif 000005
【図４】
2004145962.tif 000006
【図５】
2004145962.tif 000007
【図６】
2004145962.tif 000008
【図７】
2004145962.tif 000009
【図８】
2004145962.tif 000010
【図９】
2004145962.tif 000011
【図１０】
2004145962.tif 000012
【図１１】
2004145962.tif 000013
【図１２】
2004145962.tif 000014
【図１３】
2004145962.tif 000015
【図１４】
2004145962.tif 000016
【図１５】
2004145962.tif 000017